(57)【要約】【課題】簡易な構成で、発光装置の発光量の低下を抑制しつつ、発光装置の発光色を変更することができる技術を提供する。【解決手段】本発明の発光装置は、第１発光部と第２発光部とを含む複数の発光部と、各発光部からの光の色を変換する変換部と、を有し、前記変換部は、前記第１発光部からの光の色を第１色に変換する第１変換領域と、前記第２発光部からの光の色を、前記第１色とは異なる第２色に変換する第２変換領域と、を有する。【選択図】図１
2017220374.tif 000002
【特許請求の範囲】
【請求項１】
第１発光部と第２発光部とを含む複数の発光部と、
各発光部からの光の色を変換する変換部と、
を有し、
前記変換部は、
前記第１発光部からの光の色を第１色に変換する第１変換領域と、
前記第２発光部からの光の色を、前記第１色とは異なる第２色に変換する第２変換領域と、
を有する
ことを特徴とする発光装置。
【請求項２】
前記変換部からの光を拡散する拡散部、をさらに有する
ことを特徴とする請求項１に記載の発光装置。
【請求項３】
前記変換部は、量子ドットを有する
ことを特徴とする請求項１または２に記載の発光装置。
【請求項４】
前記第１変換領域における量子ドットの発光色は、前記第２変換領域における量子ドットの発光色と異なる
ことを特徴とする請求項３に記載の発光装置。
【請求項５】
前記第１変換領域における量子ドットのサイズは、前記第２変換領域における量子ドットのサイズと異なる
ことを特徴とする請求項３または４に記載の発光装置。
【請求項６】
前記第１変換領域における量子ドットの密度は、前記第２変換領域における量子ドットの密度と異なる
ことを特徴とする請求項３〜５のいずれか１項に記載の発光装置。
【請求項７】
前記第１発光部の発光色は、前記第２発光部の発光色と略等しい
ことを特徴とする請求項１〜６のいずれか１項に記載の発光装置。
【請求項８】
各発光部の発光量を個別に制御する制御部、をさらに有する
ことを特徴とする請求項１〜７のいずれか１項に記載の発光装置。
【請求項９】
請求項１〜８のいずれか１項に記載の発光装置と、
前記発光装置からの光を透過することにより画像を表示する表示部と、
を有することを特徴とする表示装置。
【請求項１０】
前記発光装置の発光色を画像データに基づいて決定する決定部、をさらに有する
ことを特徴とする請求項９に記載の表示装置。
【発明の詳細な説明】
【技術分野】
【０００１】
本発明は、発光装置および表示装置に関する。
【背景技術】
【０００２】
表示装置で表示された画像である表示画像の色（色温度）は、発光装置からの光の色（分光スペクトル）に依存する。「発光装置からの光」は、「発光装置の光源（発光ダイオード（ＬＥＤ（Ｌｉｇｈｔ  Ｅｍｉｔｔｉｎｇ  Ｄｉｏｄｅ）など）から発せられた光」、「発光装置の光源から発せられた光であり、且つ、発光装置の光学部材を透過した後の光」、等を意味する。表示装置が液晶表示装置である場合には、表示画像の色（表示色）は、液晶パネルの透過率にも依存する。具体的には、複数のカラーフィルタにそれぞれ対応する複数の液晶素子の透過率を個別に調整することにより、表示色を変更することができる。
【０００３】
発光装置からの光の色（発光色）を変更する方法として、Ｒ−ＬＥＤ、Ｇ−ＬＥＤ、及び、Ｂ−ＬＥＤの３種類のＬＥＤを発光装置の光源として使用する方法が提案されている。Ｒ−ＬＥＤは、発光色が赤色のＬＥＤであり、Ｇ−ＬＥＤは、発光色が緑色のＬＥＤであり、Ｂ−ＬＥＤは、発光色が青色のＬＥＤである。この方法では、Ｒ−ＬＥＤの発光量（発光輝度；発光強度）、Ｇ−ＬＥＤの発光量、及び、Ｂ−ＬＥＤの発光量を個別に制御することにより、発光装置の発光色を変更することができる。
【０００４】
発光装置の発光色の変更に関する技術は、例えば、特許文献１に開示されている。特許文献１に開示の技術では、複数の領域の間で積層数が異なる蛍光体シートを移動することにより、蛍光体シートを透過した後の光の色が変更される。
【０００５】
また、表示装置では、表示色の広色域化が望まれている。例えば、ｓＲＧＢ（ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）により定められた色空間ＩＥＣ  ６１９６６−２−１）の色域よりも広い色域での表示が望まれている。具体的には、ＡｄｏｂｅＲＧＢ（Ａｄｏｂｅ  Ｓｙｓｔｅｍｓ社により定められた色空間）の色域などでの表示が望まれている。
【０００６】
そこで近年、量子ドットフィルムを表示装置に利用することが検討されている。量子ドットフィルムは、複数の量子ドット（Ｑｕａｎｔｕｍ  Ｄｏｔ）をフィルム内に分散させた構成を有する。量子ドットは、例えば、青色の光が照射されると、狭帯域の分光スペクトル（波長幅が狭い分光スペクトル）を有する光を発する。量子ドットフィルムを有する表示装置に関する技術は、例えば、特許文献２に開示されている。特許文献２に開示の技術では、Ｂ−ＬＥＤからの光（青色の光）の照射によって緑色の光と赤色の光とを発する量子ドットフィルムが、Ｂ−ＬＥＤと液晶パネルの間に設けられている。
【０００７】
しかしながら、特許文献１に開示の技術では、蛍光体シートを移動するための構成が必要であるため、発光装置の構成が複雑化し、発光装置のコストが増大してしまう。また、量子ドットフィルムを有する従来の発光装置は、発光装置の発光色を変更することができない。そのため、量子ドットフィルムを有する従来の表示装置では、表示色を変更するために液晶パネルの透過率を変更する必要があり、透過率の変更によって表示輝度（表示画像の輝度）が低下してしまう。
【先行技術文献】
【特許文献】
【０００８】
【特許文献１】特開２０１２−２２１７６３号公報
【特許文献２】特開２０１２−０２２０２８号公報
【発明の概要】
【発明が解決しようとする課題】
【０００９】
本発明は、簡易な構成で、発光装置の発光量の低下を抑制しつつ、発光装置の発光色を変更することができる技術を提供することを目的とする。
【課題を解決するための手段】
【００１０】
本発明の第１の態様は、
第１発光部と第２発光部とを含む複数の発光部と、
各発光部からの光の色を変換する変換部と、
を有し、
前記変換部は、
前記第１発光部からの光の色を第１色に変換する第１変換領域と、
前記第２発光部からの光の色を、前記第１色とは異なる第２色に変換する第２変換領域と、
を有する
ことを特徴とする発光装置である。
【００１１】
本発明の第２の態様は、
前記発光装置と、
前記発光装置からの光を透過することにより画像を表示する表示部と、
を有することを特徴とする表示装置である。
【発明の効果】
【００１２】
本発明によれば、簡易な構成で、発光装置の発光量の低下を抑制しつつ、発光装置の発光色を変更することができる。
【図面の簡単な説明】
【００１３】
【図１】実施例１に係る発光装置の構成例を示す図
【図２】実施例２に係る発光装置の構成例を示す図
【図３】実施例２に係る表示装置の構成例を示す図
【図４】実施例１に係る分光スペクトルの一例を示す図
【発明を実施するための形態】
【００１４】
＜実施例１＞
以下、本発明の実施例１について説明する。本実施例に係る発光装置は、発光装置から発せられた光を透過することにより画像を表示する表示部（表示パネル）を有する表示装置の発光装置として使用することができる。例えば、表示部が液晶パネルである液晶表示装置のバックライトユニットとして使用することができる。本実施例に係る発光装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置の発光装置としても使用することができる。本実施例に係る発光装置は、広告標識装置、標識表示装置、等の画像表示装置の発光装置としても使用することができる。本実施例に係る発光装置は、街灯、室内照明、顕微鏡照明、等の照明装置としても使用することができる。
【００１５】
図１は、本実施例に係る発光装置１００の構成例を示す図である。発光装置１００は、ＬＥＤ１１０〜１１３、ＬＥＤ電源１２０、電流源１３０，１３１、量子ドットフィルム１４０、及び、導光板１５０を有するエッジライト型発光装置である。
【００１６】
ＬＥＤ１１０〜１１３のそれぞれは、青色の光を発する発光素子（光源）である。具体的には、ＬＥＤ１１０〜１１３のそれぞれは、青色の光を発する発光ダイオードである。青色の光を発する発光ダイオードは、「青色発光ダイオード」と呼ばれる。ＬＥＤ１１０とＬＥＤ１１２は互いに直列に接続されており、電流源１３０からの電流を制御することにより、ＬＥＤ１１０の発光量（発光輝度；発光強度）とＬＥＤ１１２の発光量とが制御される。ここでは、ＬＥＤ１１０およびＬＥＤ１１２のそれぞれを「第１発光部」と呼ぶ。ＬＥＤ１１１とＬＥＤ１１３は互いに直列に接続されており、電流源１３１からの電流を制御することにより、ＬＥＤ１１１の発光量とＬＥＤ１１３の発光量とが制御される。ここでは、ＬＥＤ１１１およびＬＥＤ１１３のそれぞれを「第２発光部」と呼ぶ。
【００１７】
ＬＥＤの発光量の制御について説明する。ＬＥＤに供給される電流量を増やすことで、ＬＥＤの発光量を増やすことができ、ＬＥＤに供給される電流量を減らすことで、ＬＥＤの発光量を減らすことができる。また、ＬＥＤへの電流の供給時間を増やすことで、ＬＥＤの発光量を増やすことができ、ＬＥＤへの電流の供給時間を減らすことで、ＬＥＤの発光量を減らすことができる。ＬＥＤへの電流の供給時間を減らす場合には、例えば、ＬＥＤの消灯が人間の目で感知されない時間だけＬＥＤへの電流の供給が停止される。
【００１８】
ＬＥＤ電源１２０は、ＬＥＤ１１０〜１１３へ電力を供給する電源である。ＬＥＤ電源１２０は、例えば、２４Ｖの電力が入力され且つ７Ｖの電力を出力する降圧型直流−直流変換電源である。なお、電流源１３０および電流源１３１のそれぞれが必要な電流を流すことができれば、ＬＥＤ電源１２０の構成は特に限定されない。
【００１９】
電流源１３０と電流源１３１の組み合わせは、各発光部の発光量を個別に制御する制御部である。本実施例では、電流源１３０と電流源１３１の組み合わせは、第１発光部の発光量と、第２発光部の発光量とを個別に制御する。具体的には、上述したように、電流源１３０は、電流源１３０からの電流（電流量、電流の供給時間、等）を制御することにより、ＬＥＤ１１０の発光量とＬＥＤ１１２の発光量とを制御する。電流源１３０は不図示の制御回路を有しており、電流源１３０からの電流は、電流源１３０の制御回路によって制御される。そして、電流源１３１は、電流源１３１からの電流を制御することにより、ＬＥＤ１１１の発光量とＬＥＤ１１３の発光量とを制御する。電流源１３１は不図示の制御回路を有しており、電流源１３１からの電流は、電流源１３１の制御回路によって制御される。
【００２０】
電流源１３０および電流源１３１のそれぞれは、例えば、カレントミラー回路を有する。そして、電流源１３０の制御回路によって意図的に制御されない限り、電流源１３０からの電流は、電流源１３０のカレントミラー回路によって一定に保たれる（定電流制御）。同様に、電流源１３１のカレントミラー回路によって、電流源１３１からの電流の定電流制御が行われる。
【００２１】
なお、電流源１３０の制御回路と電流源１３１の制御回路とは別体の回路であってもよいし、そうでなくてもよい。電流源１３０の制御回路と電流源１３１の制御回路とのそれぞれとして、電流源１３０と電流源１３１の間で共通の１つの回路が使用されてもよい。また、各発光部の発光量を個別に制御することができれば、制御部の構成は特に限定されない。具体的には、電流源１３０からの電流と、電流源１３１からの電流とを個別に制御することができれば、電流源１３０および電流源１３１のそれぞれの構成は特に限定されない。
【００２２】
量子ドットフィルム１４０には、各発光部からの光が照射される。量子ドットフィルム１４０は、各発光部からの光の色を変換し、且つ、色が変換された後の光を出力する変換
部である。量子ドットフィルム１４０は、複数の量子ドットをフィルム（シート）内に分散させた構成を有する。量子ドットは、所定の色の光が照射されると、所定の色とは異なる色の光を発する。具体的には、量子ドットは、所定の色の光が照射されると、所定の色の光の分光スペクトルとは異なる分光スペクトルを有する光を発する。より具体的には、量子ドットは、所定の色の光が照射されると、所定の色の光の波長（ピーク波長）とは異なる分波長を有する光を発する。そのため、量子ドットは「波長変換部材」と呼ぶこともできる。量子ドットの発光色は、量子ドットのサイズ（粒径）に依存する。量子ドットフィルム１４０からの光は、各発光部からの光の一部（透過光）と、各量子ドットからの光とを含む。そのため、量子ドットフィルム１４０の発光色は、各発光部の発光色と異なる。複数の量子ドットの発光量（総発光量）は、量子ドットの数に依存する。そのため、量子ドットの密度を変えることで、量子ドットフィルム１４０の発光色を変えることができる。
【００２３】
図１に示すように、量子ドットフィルム１４０は、領域Ａ１、領域Ａ２、領域Ａ３、及び、領域Ａ４の４つの領域を有する。領域Ａ１と領域Ａ３のそれぞれは、第１発光部からの光の色を第１色に変換する第１変換領域である。領域Ａ２と領域Ａ４のそれぞれは、第２発光部からの光の色を、第１色とは異なる第２色に変換する第２変換領域である。以下、領域Ａ１、領域Ａ２、領域Ａ３、及び、領域Ａ４について詳しく説明する。
【００２４】
領域Ａ１，Ａ３には、青色の光の照射に応じて緑色の光を発する量子ドットが含まれている。ＬＥＤ１１０からの光が領域Ａ１へ照射され、青色の光（ＬＥＤ１１０からの光の一部）と、緑色の光（領域Ａ１の量子ドットからの光）とを含む光が領域Ａ１から発せられる。そして、ＬＥＤ１１２からの光が領域Ａ３へ照射され、青色の光（ＬＥＤ１１２からの光の一部）と、緑色の光（領域Ａ３の量子ドットからの光）とを含む光が領域Ａ３から発せられる。そのため、本実施例では、第１色は、青色と緑色の混色である。
【００２５】
領域Ａ２，Ａ４には、青色の光の照射に応じて赤色の光を発する量子ドットが含まれている。ＬＥＤ１１１からの光が領域Ａ２へ照射され、青色の光（ＬＥＤ１１１からの光の一部）と、赤色の光（領域Ａ２の量子ドットからの光）とを含む光が領域Ａ２から発せられる。そして、ＬＥＤ１１３からの光が領域Ａ４へ照射され、青色の光（ＬＥＤ１１３からの光の一部）と、赤色の光（領域Ａ４の量子ドットからの光）とを含む光が領域Ａ４から発せられる。そのため、本実施例では、第２色は、青色と赤色の混色である。
【００２６】
本実施例では、量子ドットのサイズによって量子ドットの発光色が決定されている。そのため、第１変換領域における量子ドットのサイズは、第２変換領域における量子ドットのサイズと異なる。なお、量子ドットの発光色の決定方法は特に限定されない。第１変換領域における量子ドットのサイズは、第２変換領域における量子ドットのサイズと略等しくてもよい（「略等しい」は「完全に等しい」を含む）。
【００２７】
また、本実施例では、各発光部の発光量が所定の発光量に制御された場合において導光板１５０から所定の色（例えば白色）の光が発せられるように、量子ドットが分散されている。具体的には、第１変換領域における量子ドットの密度が第１密度となり、且つ、第２変換領域における量子ドットの密度が、第１密度とは異なる第２密度となるように、量子ドットが分散されている。なお、第１変換領域における量子ドットの密度は、第２変換領域における量子ドットの密度と略等しくてもよい（「略等しい」は「完全に等しい」を含む）。
【００２８】
図４（Ａ），４（Ｂ）は、量子ドットフィルム１４０からの光の分光スペクトルの一例を示す。図４（Ａ）は、ＬＥＤ１１０とＬＥＤ１１２を点灯し、且つ、ＬＥＤ１１１とＬＥＤ１１３を消灯した場合の例を示す。
【００２９】
図４（Ａ）から、ＬＥＤ１１０とＬＥＤ１１２のみを点灯した場合に、青色の光と緑色の光を含む光が量子ドットフィルム１４０から発せられることがわかる。即ち、ＬＥＤ１１０とＬＥＤ１１２のみを点灯した場合に、上記第１色の光が量子ドットフィルム１４０から発せられることがわかる。
【００３０】
図４（Ｂ）から、ＬＥＤ１１１とＬＥＤ１１３のみを点灯した場合に、青色の光と赤色の光を含む光が量子ドットフィルム１４０から発せられることがわかる。即ち、ＬＥＤ１１１とＬＥＤ１１３のみを点灯した場合に、上記第２色の光が量子ドットフィルム１４０から発せられることがわかる。
【００３１】
そして、図４（Ａ），４（Ｂ）から、ＬＥＤ１１０、ＬＥＤ１１１、ＬＥＤ１１２、及び、ＬＥＤ１１３を点灯した場合に、第１色の光と第２色の光とを含む光が量子ドットフィルム１４０から発せられることがわかる。第１発光部の発光量（ＬＥＤ１１０の発光量、及び、ＬＥＤ１１２の発光量）を制御することで第１色の光の光量を制御でき、第２発光部の発光量（ＬＥＤ１１１の発光量、及び、ＬＥＤ１１３の発光量）を制御することで第２色の光の制御を変更できる。そして、第１色の光の光量と、第２色の光の光量とを個別に制御することにより、量子ドットフィルム１４０の発光色を制御することができ、ひいては発光装置１００の発光色を制御できる。
【００３２】
このように、本実施例では、量子ドットフィルム１４０は、第１発光部と第２発光部にそれぞれ対応する第１変換領域と第２変換領域を有する。そして、第１発光部の発光量と第２発光部の発光量とを個別に制御することにより、第１変換領域の発光量（第１色の光の光量）と、第２変換領域の発光量（第２色の光の光量）とが個別に制御される。その結果、量子ドットフィルム１４０の発光色が制御され、ひいては発光装置１００の発光色が制御される。
【００３３】
導光板１５０は、量子ドットフィルム１４０からの光を所定の方向へ導く導光部である。導光板１５０は、量子ドットフィルム１４０からの光を拡散（散乱）する拡散部でもある。導光板１５０の構成は特に限定されない。本実施例では、導光板１５０は、アクリル樹脂によって構成されている。また、本実施例では、量子ドットフィルム１４０から導光板１５０の内部へ入った光が、十分に長い光路長（光学的距離）で導光板１５０の所定の面へ導かれ、所定の面から出力されるような構成を、導光板１５０は有する。このような構成により、ＬＥＤ１１０、ＬＥＤ１１１、ＬＥＤ１１２、及び、ＬＥＤ１１３を点灯した場合において、第１色の光と第２色の光とが導光板１５０の内部で十分に混色される。その結果、ＬＥＤ１１０、ＬＥＤ１１１、ＬＥＤ１１２、及び、ＬＥＤ１１３を点灯した場合において、導光板１５０（発光装置１００）からの光として、第１色の光と第２色の光とが十分に混色された光を得ることができる。
【００３４】
図４（Ｃ）は、ＬＥＤ１１０、ＬＥＤ１１１、ＬＥＤ１１２、及び、ＬＥＤ１１３を点灯した場合における導光板１５０からの光の分光スペクトルの一例を示す。図４（Ｃ）から、ＬＥＤ１１０、ＬＥＤ１１１、ＬＥＤ１１２、及び、ＬＥＤ１１３を点灯した場合に、青色の光、緑色の光、及び、赤色を含む光が導光板１５０から発せられることがわかる。
【００３５】
なお、量子ドットフィルム１４０からの光は、ある程度拡散する。そのため、導光板１５０を用いなくても、第１変換領域からの光（第１色の光）と、第２変換領域からの光（第２色の光）とは混ざる。そのため、量子ドットフィルム１４０から上記所定の方向へ光が発せられる場合には、発光装置１００は、導光板１５０を有していなくてもよい。
【００３６】
発光装置１００の発光色の変更方法の一例について、図４（Ｃ），４（Ｄ）を用いて説明する。図４（Ｃ），４（Ｄ）は、ＬＥＤ１１０、ＬＥＤ１１１、ＬＥＤ１１２、及び、ＬＥＤ１１３を点灯した場合における導光板１５０からの光の分光スペクトルの一例を示す。図４（Ｃ），４（Ｄ）において、電流源１３０の供給時間（電流の供給時間）は、電流源１３１の供給時間と等しい。図４（Ｃ）は、電流源１３０の電流量が、電流源１３１の電流量と等しい場合の例を示す。即ち、図４（Ｃ）は、第１発光部（ＬＥＤ１１０とＬＥＤ１１２）の発光量が、第２発光部（ＬＥＤ１１１とＬＥＤ１１３）の発光量と等しい場合の例を示す。
【００３７】
図４（Ｃ）の状態から電流源１３０の電流量を高めると、第１発光部（ＬＥＤ１１０とＬＥＤ１１２）の発光量が増し、第１変換領域（領域Ａ１と領域Ａ３）の発光量が増す。その結果、導光板１５０からの光に含まれる第１色の光（青色の光と緑色の光）の光量が増し、発光装置１００の発光色が変更される。具体的には、導光板１５０からの光の分光スペクトルが、図４（Ｃ）の分光スペクトルから、図４（Ｄ）の分光スペクトルへ変更される。本実施例では、図４（Ｃ）の状態から電流源１３０の電流量を高めた場合と、図４（Ｃ）の状態から電流源１３１の電流量を低減した場合とにおいて、発光装置１００の発光色がシアン色に近づけられる。そして、図４（Ｃ）の状態から電流源１３０の電流量を低減した場合と、図４（Ｃ）の状態から電流源１３１の電流量を高めた場合とにおいて、発光装置１００の発光色がマゼンダ色に近づけられる。
【００３８】
以上述べたように、本実施例によれば、複数の発光部が第１発光部と第２発光部を含み、第１発光部と第２発光部にそれぞれ対応する第１変換領域と第２変換領域を変換部が有する。それにより、簡易な構成で、発光装置の発光量の低下を抑制しつつ、発光装置の発光色を変更することができる。具体的には、変換部の位置を変更する構成、液晶パネル、等を用いずに、各発光部の発光量を個別に変更するだけで発光装置の発光色を変更することができる。また、液晶パネルの透過率の変更による発光量（発光装置の発光量）の低下は生じないため、発光装置の発光量の低下を抑制しつつ、発光装置の発光色を変更することができる。
【００３９】
なお、発光装置はエッジライト型発光装置に限られない。第１発光部、第２発光部、及び、第１変換領域と第２変換領域を有する変換部を発光装置が有していれば、発光装置の構成は特に限定されない。また、なお、発光素子はＬＥＤに限られない。発光素子の発光量を制御でき、且つ、変換部で変換可能な光を発光素子が発するのであれば、発光素子の構成は特に限定されない。例えば、有機ＥＬ素子、冷陰極管（ＣＣＦＬ）、等が、発光素子として使用されてもよい。
【００４０】
なお、発光素子の発光色は青色に限られない。変換部で変換可能な光を発光素子が発するのであれば、発光素子の発光色は特に限定されない。例えば、発光素子から紫外光が発せられてもよい。また、第１発光部の発光色が第２発光部の発光色と略等しい例を説明したが、これに限られない（「略等しい」は「完全に等しい」を含む）。複数の発光素子の間で発光色が異なっていてもよい。
【００４１】
なお、第１発光部と第２発光部のそれぞれとして１つの発光素子が使用される例を説明したが、これに限られない。第１発光部と第２発光部の少なくとも一方が複数の発光素子を有していてもよい。また、２つの第１発光部と２つの第２発光部が使用される例を説明したが、これに限られない。第１発光部の数は、１つであってもよいし、２つより多くてもよい。第２発光部の数は、１つであってもよいし、２つより多くてもよい。同様に、第１変換領域の数と、第２変換領域の数とも特に限定されない。また、第１発光部と第１変換領域とが１対１で対応し、且つ、第２発光部と第２変換領域とが１対１で対応する例を説明したが、これに限られない。１つの第１変換領域に複数の第１発光部が対応付けられ
ていてもよいし、複数の第１変換領域に１つの第１発光部が対応付けられていてもよい。１つの第２変換領域に複数の第２発光部が対応付けられていてもよいし、複数の第２変換領域に１つの第２発光部が対応付けられていてもよい。
【００４２】
なお、複数の発光部が第１発光部と第２発光部のみを含む例を説明したが、複数の発光部は、第１発光部および第２発光部とは異なる発光部をさらに含んでいてもよい。同様に、変換部は、第１変換領域および第２変換領域とは異なる変換領域をさらに含んでいてもよい。また、変換部は量子ドットフィルムに限られない。例えば、変換部では、量子ドットとは異なる蛍光体が使用されてもよい。変換部は、ある程度の厚さを有する板状部材であってもよい。また、変換部は、１つの部材であってもよいし、複数の部材の組み合わせであってもよい。例えば、変換部は、複数の領域にそれぞれ対応する複数の部材の組み合わせであってもよい。
【００４３】
なお、第１変換領域の発光色（第１色）は特に限定されない。同様に、第２変換領域の発光色（第２色）も特に限定されない。第１変換領域における量子ドットの発光色、サイズ、及び、密度は特に限定されない。同様に、第２変換領域における量子ドットの発光色、サイズ、及び、密度も特に限定されない。
【００４４】
なお、変換部の複数の領域が１つの方向に並べられた例を説明したが、複数の領域の並びは特に限定されない。例えば、複数の領域がマトリクス状に並べられていてもよいし、複数の領域が千鳥格子状に並べられていてもよい。複数の第１変換領域が互いに隣接していてもよいし、複数の第２変換領域が互いに隣接していてもよい。但し、本実施例のように第１変換領域と第２変換領域が互いに隣接すれば、第１変換領域からの光と第２変換領域からの光との混色を効率よく行うことができる。
【００４５】
＜実施例２＞
以下、本発明の実施例２について説明する。本実施例では、直下型発光装置の例を説明する。以下では、実施例１と同様の構成についての説明は省略する。図２は、本実施例に係る発光装置２００の構成例を示す図である。発光装置２００は、導光板を用いた直下型発光装置である。発光装置２００は、ＬＥＤ２１０〜２１３、ＬＥＤ電源２２０，２２１、電流源２３０〜２３３、量子ドットフィルム２４０、及び、導光板２５０〜２５３を有する。
【００４６】
ＬＥＤ２１０〜２１３のそれぞれは、青色発光ダイオードである。ＬＥＤ２１０とＬＥＤ２１３のそれぞれは第１発光部であり、ＬＥＤ２１１とＬＥＤ２１２のそれぞれは第２発光部である。ＬＥＤ電源２２０は、ＬＥＤ２１０とＬＥＤ２１１へ電力を供給する電源であり、ＬＥＤ電源２２１は、ＬＥＤ２１２とＬＥＤ２１３へ電力を供給する電源である。
【００４７】
電流源２３０、電流源２３１、電流源２３２、及び、電流源２３３の組み合わせは、各発光部の発光量を個別に制御する制御部である。具体的には、電流源２３０は、電流源２３０からの電流を制御することにより、ＬＥＤ２１０の発光量を制御し、電流源２３１は、電流源２３１からの電流を制御することにより、ＬＥＤ２１１の発光量を制御する。そして、電流源２３２は、電流源２３２からの電流を制御することにより、ＬＥＤ２１２の発光量を制御し、電流源２３３は、電流源２３３からの電流を制御することにより、ＬＥＤ２１３の発光量を制御する。
【００４８】
ＬＥＤ２１０からの光は導光板２５０へ照射される。導光板２５０は、ＬＥＤ２１０からの光を量子ドットフィルム２４０の側へ導く。ＬＥＤ２１１からの光は導光板２５１へ照射される。導光板２５１は、ＬＥＤ２１１からの光を量子ドットフィルム２４０の側へ
導く。ＬＥＤ２１２からの光は導光板２５２へ照射される。導光板２５２は、ＬＥＤ２１２からの光を量子ドットフィルム２４０の側へ導く。ＬＥＤ２１３からの光は導光板２５３へ照射される。導光板２５３は、ＬＥＤ２１３からの光を量子ドットフィルム２４０の側へ導く。なお、ＬＥＤ２１０〜２１３からの光が量子ドットフィルム２４０へ照射されるようにＬＥＤ２１０〜２１３が配置されている場合には、発光装置２００は、導光板２５０〜２５３を有していなくてもよい。
【００４９】
量子ドットフィルム２４０には、各発光部からの光が照射される。量子ドットフィルム２４０は、各発光部からの光の色を変換し、且つ、色が変換された後の光を出力する。具体的には、量子ドットフィルム２４０は、領域Ｂ１、領域Ｂ２、領域Ｂ３、及び、領域Ｂ４を有する。領域Ｂ１と領域Ｂ４のそれぞれは第１変換領域であり、領域Ｂ２と領域Ｂ３のそれぞれは第２変換領域である。ＬＥＤ２１０からの光は導光板２５０を通って領域Ｂ１へ照射され、ＬＥＤ２１１からの光は導光板２５１を通って領域Ｂ２へ照射される。そして、ＬＥＤ２１２からの光は導光板２５２を通って領域Ｂ３へ照射され、ＬＥＤ２１３からの光は導光板２５３を通って領域Ｂ４へ照射される。
【００５０】
図３は、発光装置２００を有する表示装置の構成例を示す図である。図３は、画面、発光装置の発光面、等に垂直な面によって得られる断面図である。図３の例では、表示装置は、量子ドットフィルム２４０（発光装置２００）からの光が照射される位置に液晶パネル２６０を有する。発光装置２００からの光が液晶パネル２６０を透過することにより、画面に画像が表示される。液晶パネル２６０の透過率は、画像データなどに基づいて制御される。液晶パネル２６０は量子ドットフィルム２４０から十分に離れている。そのため、ＬＥＤ２１０、ＬＥＤ２１１、ＬＥＤ２１２、及び、ＬＥＤ２１３を点灯した場合において、第１色の光と第２色の光とが十分に混色された光が液晶パネル２６０へ照射される。
【００５１】
以上述べたように、本実施例でも、複数の発光部が第１発光部と第２発光部を含み、第１発光部と第２発光部にそれぞれ対応する第１変換領域と第２変換領域を変換部が有する。それにより、簡易な構成で、発光装置の発光量の低下を抑制しつつ、発光装置の発光色を変更することができる。
【００５２】
なお、発光装置の発光色の決定方法は特に限定されない。例えば、画像データに基づいて発光色を自動で決定する決定部を表示装置が有しており、決定部により決定された発光色に発光装置の発光色が制御されてもよい。発光色がユーザによって指定され、指定された発光色に発光装置の発光色が制御されてもよい。
【符号の説明】
【００５３】
１００，２００：発光装置  １１０〜１１３，２１０〜２１３：ＬＥＤ
１４０，２４０：量子ドットフィルム  Ａ１〜Ａ３，Ｂ１〜Ｂ４：領域
【図１】
2017220374.tif 000003
【図２】
2017220374.tif 000004
【図３】
2017220374.tif 000005
【図４】
2017220374.tif 000006